(57)【要約】【課題】電子機器の操作性を向上することを可能にする技術を提供する。【解決手段】電子機器１は、表示部２６と、表示部２６に対する操作子６０による操作を検出する操作検出部と、接触時間を計測する計測部２２と、表示部２６に表示された画像に対応付けられたアプリケーションプログラムを実行する処理実行部２４とを備える。画像は、第一の大きさ、もしくは当該第一の大きさよりも小さい第二の大きさにて表示部２６に表示される第一画像を含み、処理実行部２４は、文字情報を含まずかつ対応するアプリケーションプログラムを示す図形を含む第一画像が第二の大きさにて表示部２６に表示されている場合において、当該第一画像に対して操作子が接触しており、当該第一画像についての接触時間が第一の閾値よりも大きいときには、表示部２６に文字情報を表示する。【選択図】図７
2015011398.tif 000002
【特許請求の範囲】
【請求項１】
電子機器であって、
少なくとも１以上のアプリケーションプログラムを記憶する記憶部と、
前記アプリケーションプログラムに対応付けられ、かつ大きさが可変の画像を表示する表示部と、
前記表示部に対する操作子による操作を検出する操作検出部と、
前記操作検出部での検出結果に基づいて、前記操作子が前記画像に接触している接触時間を計測する計測部と、
前記表示部に表示されている前記画像の大きさを特定する特定部と、
前記表示部に表示されている画像に対する前記操作子による操作を検出すると、当該画像に対応付けられたアプリケーションプログラムを実行する処理実行部と
を備え、
前記画像は、第一の大きさ、もしくは当該第一の大きさよりも小さい第二の大きさにて前記表示部に表示される第一画像を含み、
前記第一画像は、前記第一の大きさで前記表示部に表示される際には、当該第一画像に対応するアプリケーションプログラムを示す図形と文字情報とを含み、
前記処理実行部は、前記文字情報を含まずかつ対応するアプリケーションプログラムを示す図形を含む前記第一画像が前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する、電子機器。
【請求項２】
請求項１に記載の電子機器であって、
前記処理実行部は、前記文字情報を含まずかつ対応するアプリケーションプログラムを示す図形を含む前記第一画像が前記第二の大きさにて前記表示部に表示されている場合において、当該第一画像に対して前記操作子が接触しており、当該第一画像についての前記接触時間が前記第一の閾値よりも大きい第二の閾値よりも大きいときには、前記電子機器の動作モードを、当該第一画像の大きさの変更が可能な第一変更モードに設定する、電子機器。
【請求項３】
請求項２に記載の電子機器であって、
前記第一変更モードでは、前記第一画像の位置の変更も可能である、電子機器。
【請求項４】
請求項１乃至請求項３のいずれかに記載の電子機器であって、
前記処理実行部は、前記第一画像が前記第一の大きさにて前記表示部に表示されている場合において、当該第一画像に対して前記操作子が接触して離れると、当該第一画像に対応するアプリケーションプログラムを実行する、電子機器。
【請求項５】
請求項４に記載の電子機器であって、
前記処理実行部は、前記第一画像が前記第一の大きさにて前記表示部に表示されている場合において、当該第一画像に対して前記操作子が接触しており、当該第一画像についての前記接触時間が第三の閾値よりも大きいときには、前記電子機器の動作モードを、当該第一画像の大きさの変更が可能な第二変更モードに設定する、電子機器。
【請求項６】
請求項５に記載の電子機器であって、
前記第三の閾値は、前記第二の閾値よりも小さい、電子機器。
【請求項７】
請求項５及び請求項６のいずれかに記載の電子機器であって、
前記第二変更モードでは、前記第一画像の位置の変更も可能である、電子機器。
【請求項８】
請求項１乃至請求項７のいずれか一つに記載の電子機器であって、
前記文字情報は、当該文字情報を含む前記第一画像に対応したアプリケーションプログラムの名称である、電子機器。
【請求項９】
請求項１乃至請求項８のいずれかに記載の電子機器であって、
前記処理実行部は、前記第一画像に対して前記操作子が接触しており、当該第一画像についての前記接触時間が前記第一の閾値よりも大きいときに、前記表示部に前記文字情報を表示する場合において、前記第一画像に接触する、前記文字情報を含む接触画像を前記表示部に表示する、電子機器。
【請求項１０】
請求項１乃至請求項８のいずれかに記載の電子機器であって、
前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記文字情報を含む前記第一画像を前記表示部に表示する、電子機器。
【請求項１１】
請求項１０に記載の電子機器であって、
前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記第一画像に対応するアプリケーションプログラムを示す図形を含まず前記文字情報を含む前記第一画像を前記表示部に表示する、電子機器。
【請求項１２】
請求項１０に記載の電子機器であって、
前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記第一画像に対応するアプリケーションプログラムを示す図形の上に位置する前記文字情報を含む前記第一画像を前記表示部に表示する、電子機器。
【請求項１３】
請求項１乃至請求項１２のいずれかに記載の電子機器であって、
前記画像は、第三の大きさ、もしくは当該第三の大きさよりも小さい第四の大きさにて前記表示部に表示される第二画像を含み、
前記第二画像は、前記第三の大きさにて前記表示部に表示される際には、当該第二画像に対応するアプリケーションプログラムを示す図形と当該アプリケーションプログラムの名称を含まない文字情報とを含み、
前記処理実行部は、前記文字情報を含まずかつ対応するアプリケーションプログラムを示す図形を含む第二画像が前記第四の大きさにて前記表示部に表示されている場合において、当該第二画像に対して前記操作子が接触しており、当該第二画像についての前記接触時間が第四の閾値よりも大きいときには、前記表示部に、当該第二画像に対応するアプリケーションプログラムの名称を表示する、電子機器。
【請求項１４】
少なくとも１以上のアプリケーションプログラムを記憶する記憶部とアプリケーションプログラムに対応付けられ、かつ大きさが可変の画像を表示する表示部とを有する電子機器を制御するための制御プログラムであって、
前記電子機器に
（ａ）前記表示部に対する操作子による操作を検出する工程と、
（ｂ）前記工程（ａ）での検出結果に基づいて、前記操作子が前記画像に接触している接触時間を計測する工程と、
（ｃ）前記表示部に表示されている前記画像の大きさを特定する工程と、
（ｄ）前記工程（ａ）において前記表示部に表示されている画像に対する前記操作子による操作が検出されると、当該画像に対応付けられたアプリケーションプログラムを実行する工程と
を実行させ、
前記画像は、第一の大きさ、もしくは当該第一の大きさよりも小さい第二の大きさにて前記表示部に表示される第一画像を含み、
前記第一画像は、前記第一の大きさで前記表示部に表示される際には、当該第一画像に対応するアプリケーションプログラムを示す図形と文字情報とを含み、
前記工程（ｄ）において、
（ｄ−１）前記文字情報を含まずかつ対応するプログラムを示す図形を含む前記第一画像が、前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する工程を実行させるための制御プログラム。
【請求項１５】
少なくとも１以上のアプリケーションプログラムを記憶する記憶部とアプリケーションプログラムに対応付けられ、かつ大きさが可変の画像を表示する表示部とを有する電子機器の動作方法であって、
（ａ）前記表示部に対する操作子による操作を検出する工程と、
（ｂ）前記工程（ａ）での検出結果に基づいて、前記操作子が前記画像に接触している接触時間を計測する工程と、
（ｃ）前記表示部に表示されている前記画像の大きさを特定する工程と、
（ｄ）前記工程（ａ）において前記表示部に表示されている画像に対する前記操作子による操作が検出されると、前記画像に対応付けられたアプリケーションプログラムを実行する工程と
を備え、
前記画像は、第一の大きさ、もしくは当該第一の大きさよりも小さい第二の大きさにて前記表示部に表示される第一画像を含み、
前記第一画像は、前記第一の大きさで前記表示部に表示される際には、当該第一画像に対応するアプリケーションプログラムを示す図形と文字情報とを含み、
前記工程（ｄ）は、
（ｄ−１）前記文字情報を含まずかつ対応するプログラムを示す図形を含む前記第一画像が、前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する工程を有する、電子機器の動作方法。
【発明の詳細な説明】
【技術分野】
【０００１】
本発明は電子機器に関する。
【背景技術】
【０００２】
特許文献１に記載されているように、従来から電子機器に関して様々な技術が提案されている。
【先行技術文献】
【特許文献】
【０００３】
【特許文献１】特開２０１０−１０３９５６号公報
【発明の概要】
【発明が解決しようとする課題】
【０００４】
さて、電子機器については、その操作性の向上が望まれている。
【０００５】
そこで、本発明は上述の点に鑑みて成されたものであり、電子機器の操作性を向上することを可能にする技術を提供することを目的とする。
【課題を解決するための手段】
【０００６】
上記課題を解決するため、本発明に係る電子機器の一態様は、少なくとも１以上のアプリケーションプログラムを記憶する記憶部と、前記アプリケーションプログラムに対応付けられ、かつ大きさが可変の画像を表示する表示部と、前記表示部に対する操作子による操作を検出する操作検出部と、前記操作検出部での検出結果に基づいて、前記操作子が前記画像に接触している接触時間を計測する計測部と、前記表示部に表示されている前記画像の大きさを特定する特定部と、前記表示部に表示されている画像に対する前記操作子による操作を検出すると、当該画像に対応付けられたアプリケーションプログラムを実行する処理実行部とを備え、前記画像は、第一の大きさ、もしくは当該第一の大きさよりも小さい第二の大きさにて前記表示部に表示される第一画像を含み、前記第一画像は、前記第一の大きさで前記表示部に表示される際には、当該第一画像に対応するアプリケーションプログラムを示す図形と文字情報とを含み、前記処理実行部は、前記文字情報を含まずかつ対応するアプリケーションプログラムを示す図形を含む前記第一画像が前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する。
【０００７】
また、本発明に係る電子機器の一態様では、前記処理実行部は、前記文字情報を含まずかつ対応するアプリケーションプログラムを示す図形を含む前記第一画像が前記第二の大きさにて前記表示部に表示されている場合において、当該第一画像に対して前記操作子が接触しており、当該第一画像についての前記接触時間が前記第一の閾値よりも大きい第二の閾値よりも大きいときには、前記電子機器の動作モードを、当該第一画像の大きさの変更が可能な第一変更モードに設定する。
【０００８】
また、本発明に係る電子機器の一態様では、前記第一変更モードでは、前記第一画像の位置の変更も可能である。
【０００９】
また、本発明に係る電子機器の一態様では、前記処理実行部は、前記第一画像が前記第一の大きさにて前記表示部に表示されている場合において、当該第一画像に対して前記操作子が接触して離れると、当該第一画像に対応するアプリケーションプログラムを実行する。
【００１０】
また、本発明に係る電子機器の一態様では、前記処理実行部は、前記第一画像が前記第一の大きさにて前記表示部に表示されている場合において、当該第一画像に対して前記操作子が接触しており、当該第一画像についての前記接触時間が第三の閾値よりも大きいときには、前記電子機器の動作モードを、当該第一画像の大きさの変更が可能な第二変更モードに設定する。
【００１１】
また、本発明に係る電子機器の一態様では、前記第三の閾値は、前記第二の閾値よりも小さい。
【００１２】
また、本発明に係る電子機器の一態様では、前記第二変更モードでは、前記第一画像の位置の変更も可能である。
【００１３】
また、本発明に係る電子機器の一態様では、前記文字情報は、当該文字情報を含む前記第一画像に対応したアプリケーションプログラムの名称である。
【００１４】
また、本発明に係る電子機器の一態様では、前記処理実行部は、前記第一画像に対して前記操作子が接触しており、当該第一画像についての前記接触時間が前記第一の閾値よりも大きいときに、前記表示部に前記文字情報を表示する場合において、前記第一画像に接触する、前記文字情報を含む接触画像を前記表示部に表示する。
【００１５】
また、本発明に係る電子機器の一態様では、前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記文字情報を含む前記第一画像を前記表示部に表示する。
【００１６】
また、本発明に係る電子機器の一態様では、前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記第一画像に対応するアプリケーションプログラムを示す図形を含まず前記文字情報を含む前記第一画像を前記表示部に表示する。
【００１７】
また、本発明に係る電子機器の一態様では、前記処理実行部は、前記第二の大きさの前記第一画像に対して前記操作子が接触しており、当該第一画像についての前記接触時間が前記第一の閾値よりも大きいときに、前記表示部に前記文字情報を表示する場合において、前記第一画像に対応するアプリケーションプログラムを示す図形の上に位置する前記文字情報を含む前記第一画像を前記表示部に表示する。
【００１８】
また、本発明に係る電子機器の一態様では、前記画像は、第三の大きさ、もしくは当該第三の大きさよりも小さい第四の大きさにて前記表示部に表示される第二画像を含み、前記第二画像は、前記第三の大きさにて前記表示部に表示される際には、当該第二画像に対応するアプリケーションプログラムを示す図形と当該アプリケーションプログラムの名称を含まない文字情報とを含み、前記処理実行部は、前記文字情報を含まずかつ対応するアプリケーションプログラムを示す図形を含む第二画像が前記第四の大きさにて前記表示部に表示されている場合において、当該第二画像に対して前記操作子が接触しており、当該第二画像についての前記接触時間が第四の閾値よりも大きいときには、前記表示部に、当該第二画像に対応するアプリケーションプログラムの名称を表示する。
【００１９】
また、本発明に係る制御プログラムの一態様は、少なくとも１以上のアプリケーションプログラムを記憶する記憶部とアプリケーションプログラムに対応付けられ、かつ大きさが可変の画像を表示する表示部とを有する電子機器を制御するための制御プログラムであって、前記電子機器に（ａ）前記表示部に対する操作子による操作を検出する工程と、（ｂ）前記工程（ａ）での検出結果に基づいて、前記操作子が前記画像に接触している接触時間を計測する工程と、（ｃ）前記表示部に表示されている前記画像の大きさを特定する工程と、（ｄ）前記工程（ａ）において前記表示部に表示されている画像に対する前記操作子による操作が検出されると、当該画像に対応付けられたアプリケーションプログラムを実行する工程とを実行させ、前記画像は、第一の大きさ、もしくは当該第一の大きさよりも小さい第二の大きさにて前記表示部に表示される第一画像を含み、前記第一画像は、前記第一の大きさで前記表示部に表示される際には、当該第一画像に対応するアプリケーションプログラムを示す図形と文字情報とを含み、前記工程（ｄ）において、（ｄ−１）前記文字情報を含まずかつ対応するプログラムを示す図形を含む前記第一画像が、前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する工程を実行させるためのものである。
【００２０】
また、本発明に係る電子機器の動作方法の一態様は、少なくとも１以上のアプリケーションプログラムを記憶する記憶部とアプリケーションプログラムに対応付けられ、かつ大きさが可変の画像を表示する表示部とを有する電子機器の動作方法であって、（ａ）前記表示部に対する操作子による操作を検出する工程と、（ｂ）前記工程（ａ）での検出結果に基づいて、前記操作子が前記画像に接触している接触時間を計測する工程と、（ｃ）前記表示部に表示されている前記画像の大きさを特定する工程と、（ｄ）前記工程（ａ）において前記表示部に表示されている画像に対する前記操作子による操作が検出されると、前記画像に対応付けられたアプリケーションプログラムを実行する工程とを備え、前記画像は、第一の大きさ、もしくは当該第一の大きさよりも小さい第二の大きさにて前記表示部に表示される第一画像を含み、前記第一画像は、前記第一の大きさで前記表示部に表示される際には、当該第一画像に対応するアプリケーションプログラムを示す図形と文字情報とを含み、前記工程（ｄ）は、（ｄ−１）前記文字情報を含まずかつ対応するプログラムを示す図形を含む前記第一画像が、前記第二の大きさにて前記表示部に表示されている場合において、当該第一画像に対して前記操作子が接触しており、当該第一画像についての前記接触時間が第一の閾値よりも大きいときには、前記表示部に前記文字情報を表示する工程を有する。
【発明の効果】
【００２１】
本発明によれば、電子機器の操作性が向上する。
【図面の簡単な説明】
【００２２】
【図１】実施の形態に係る電子機器の外観を示す前面図である。
【図２】実施の形態に係る電子機器の外観を示す裏面図である。
【図３】実施の形態に係る電子機器の電気的構成を示すブロック図である。
【図４】実施の形態に係る電子機器の表示例を示す図である。
【図５】実施の形態に係る電子機器の表示例を示す図である。
【図６】実施の形態に係る電子機器に表示される画像について説明するための図である。
【図７】実施の形態に係る電子機器の機能的な構成を示す図である。
【図８】実施の形態に係る電子機器の処理の流れを示す図である。
【図９】実施の形態に係る電子機器での処理を説明するための図である。
【図１０】実施の形態に係る電子機器での処理を説明するための図である。
【図１１】実施の形態に係る電子機器の表示例を示す図である。
【図１２】実施の形態に係る電子機器の表示例を示す図である。
【図１３】実施の形態に係る電子機器の表示例を示す図である。
【図１４】実施の形態に係る電子機器の表示例を示す図である。
【図１５】実施の形態に係る電子機器の表示例を示す図である。
【図１６】実施の形態に係る電子機器の表示例を示す図である。
【図１７】電子機器の処理の流れを示す図である。
【図１８】変形例に係る電子機器の表示例を示す図である。
【図１９】変形例に係る電子機器の表示例を示す図である。
【図２０】変形例に係る電子機器に表示される画像について説明するための図である。
【図２１】変形例に係る電子機器の表示例を示す図である。
【図２２】変形例に係る電子機器の表示例を示す図である。
【図２３】変形例に係る電子機器に表示される画像について説明するための図である。
【図２４】変形例に係る電子機器の表示例を示す図である。
【発明を実施するための形態】
【００２３】
＜電子機器の外観＞
図１，２は、それぞれ、実施の形態に係る電子機器１の外観を示す前面図及び裏面図である。本実施の形態に係る電子機器１は、例えば携帯電話機であって、基地局及びサーバー等を通じて他の通信装置と通信することが可能である。図１及び２に示されるように、電子機器１は、平面視において略長方形の板状形状であり、カバーパネル２とケース部分３とを備えている。
【００２４】
カバーパネル２は、図１に示されるように、表示領域２ａと、周縁領域２ｂと、操作キー４ａ，４ｂ，４ｃとを備えている。カバーパネル２は、例えば、透明のガラスあるいは透明のアクリル樹脂で形成されている。カバーパネル２の裏面側には、後述する表示装置１６及びタッチパネル１７が設けられている。
【００２５】
表示装置１６によって表示された文字、記号、図形、映像等の各種情報は、カバーパネル２における表示領域２ａを通してユーザーに視認される。カバーパネル２における、表示領域２ａを取り囲む周縁部分２ｂは、例えばフィルム等が貼られることで黒色となっており、当該周縁部分２ｂでは表示装置１６による表示がユーザーに視認されることはない。カバーパネル２における表示領域２ａと、表示装置１６とを合わせて表示部２６と呼ぶ。表示部２６で表示される情報は、電子機器の外部から視認される。
【００２６】
タッチパネル１７は、表示領域２ａ及び操作キー４ａ，４ｂ，４ｃに対する指等の操作子による操作を受け付ける。本実施の形態においては、操作キー４ａ，４ｂ，４ｃは、ソフトウェアキーである。操作キー４ａは、例えば、表示部２６の表示を１つ前に戻させる操作キーである。操作キー４ｂは、例えば、表示部２６にスタート画面（初期画面）を表示させる操作キーである。操作キー４ｃは、例えば、表示部２６に検索画面を表示させる操作キーである。操作キー４ａには、当該操作キー４ａを表す図形あるいは文字などが印刷されている。同様に、操作キー４ｂには、当該操作キー４ｂを表す図形あるいは文字などが印刷されている。また、操作キー４ｃには、当該操作キー４ｃを表す図形あるいは文字などが印刷されている。操作キー４ａ，４ｂ，４ｃを表す図形あるいは文字などは、印刷するのではなく、表示装置１６に表示させてもよい。また、操作キー４ａ，４ｂ，４ｃを、ソフトウェアキーではなく、ハードウェアキーで構成してもよい。
【００２７】
カバーパネル２の上端部には、レシーバー穴５と前面側撮像部６とが備えられている。電子機器１の側面には、サイドキー７ａ，７ｂ，７ｃが備えられている。サイドキー７ａは、レシーバーから出力される音の音量を調節するための操作キーである。サイドキー７ｂは、電子機器１の起動を行う操作キーである。つまり、サイドキー７ｂは、電子機器１の電源のオン／オフを行う操作キーである。サイドキー７ｃは、裏面撮像部８に撮像をさせる操作キーである。図２に示されるように、電子機器１の裏面には、裏面側撮像部８が備えられている。
【００２８】
＜電子機器の電気的構成＞
図３は、電子機器１の電気的構成を示すブロック図である。図３に示されるように、電子機器１には、制御部１０と、無線通信部１４と、表示部２６と、タッチパネル１７と、操作キー４ａ，４ｂ，４ｃと、サイドキー７ａ，７ｂ，７ｃと、マイク１８と、レシーバー１９と、前面側撮像部６と、裏面側撮像部８とが設けられている。
【００２９】
制御部１０は、ＣＰＵ（Central Processing Unit）１１、ＤＳＰ（Digital Signal Processor）１２及び記憶部１３等を備えており、電子機器１の他の構成要素を制御することによって、電子機器１の動作を統括的に管理する。記憶部１３は、ＲＯＭ（Read Only Memory）及びＲＡＭ（Random Access Memory）等で構成されている。記憶部１３には、電子機器１の動作、具体的には電子機器１が備える無線通信部１４、表示部２６等の各構成要素を制御するための制御プログラムであるメインプログラムＰｇ１、複数のアプリケーションプログラムＰｇ２等（以後、単に「アプリケーションＰｇ２」と呼ぶ）が記憶されている。メインプログラムＰｇ１およびアプリケーションＰｇ２は、電子機器１に含まれているプロセッサーとしてのＣＰＵ１１及びＤＳＰ１２が読み取り可能なものである。ＣＰＵ１１及びＤＳＰ１２がメインプログラムＰｇ１を実行することで、電子機器１に係る各種機能が実現される。なお、本実施の形態では、電子機器１には、ＣＰＵ１１およびＤＳＰ１２がそれぞれ１つ設けられているが、複数のＣＰＵ１１が設けられてもよいし、複数のＤＳＰ１２が設けられてもよい。つまり、電子機器１には、少なくとも一つのＣＰＵ１１と、少なくとも一つのＤＳＰ１２が設けられてもよい。そして、少なくとも一つのＣＰＵ１１と少なくとも一つのＤＰＳ１２が互いに協働することで、電子機器１に係る各種機能が実現されてもよい。また、記憶部１３は、図３に例示されるように、制御部１０に備えられていなくてもよい。つまり、記憶部１３は、制御部１０と別に設けられてもよい。
【００３０】
また、記憶部１３内には、アプリケーションＰｇ２として、例えば、他の携帯電話機と通話を行うための電話アプリケーションおよび電子メールの送受信を行うためのメールアプリケーションなどが記憶されている。メインプログラムＰｇ１の実行過程で、アプリケーションＰｇ２が読み込まれて実行されることで、通話およびメール送信といった機能が電子機器１で実現される。なお図３では、図面の煩雑さを避けるために、アプリケーションＰｇ２は一つだけ示されている。
【００３１】
無線通信部１４は、アンテナ１５を有している。無線通信部１４は、電子機器１とは別の携帯電話機あるいはインターネットに接続されたウェブサーバ等の通信装置との通信信号の送受信を、基地局等を介してアンテナ１５で行う。
【００３２】
表示部２６は、表示領域２ａと表示装置１６とを有している。表示装置１６は、例えば、液晶表示ディスプレイあるいは有機ＥＬディスプレイである。前述した通り、表示部２６では、表示装置１６によって表示された各種情報が、表示領域２ａを通して電子機器１の外部から視認される。
【００３３】
タッチパネル１７は、例えば、投影型静電容量方式のタッチパネルである。タッチパネル１７は、カバーパネル２の裏面に貼り付けられており、互いに対向配置されたシート状の二つの電極センサを備えている。ユーザーが指等の操作子で表示部２６の表示領域２ａに対して接触すると、タッチパネル１７における、当該操作子と対向する部分の静電容量が変化する。そして、タッチパネル１７は、静電容量の変化に応じた電気的な信号を制御部１０に出力する。このように、タッチパネル１７は、操作子の表示部２６（表示領域２ａ）に対する接触を検出することができる。また、タッチパネル１７は、操作キー４ａ，４ｂ，４ｃに対する操作を検出して電気的な信号を制御部１０に送出する。タッチパネル１７は、表示部２６の表示領域２ａに対する操作子による操作を検出する操作検出部として機能する。なお、ユーザーは、指以外の操作子、例えば、スタイラスペンなどの静電式タッチパネル用ペンで表示部２６を操作することによっても、電子機器１に対して各種指示を与えることができる。
【００３４】
ここで、タッチパネル１７の検出感度を高く設定した場合には、操作子が表示領域２ａに接触せずに近接している状態であっても、タッチパネル１７における、操作子と対向している部分の静電容量が変化する。したがって、タッチパネル１７は、操作子の表示部２６（表示領域２ａ）に対する近接も検出することができる。つまり、タッチパネル１７は、操作子の表示部２６（表示領域２ａ）に対する接触及び近接を検出することができる。本実施の形態では、操作子が表示部２６（表示領域２ａ）に接触していることには、操作子が表示部２６に近接していることも含むものとする。したがって、タッチパネル１７が操作子の表示部２６に対する接触を検出することには、タッチパネル１７が操作子の表示部２６に対する近接を検出することも含まれる。
【００３５】
サイドキー７ａ，７ｂ，７ｃは、押下されることで、電気的な指示信号を制御部１０に送出する。マイク１８には、通話等の際にユーザーの音声等が入力され、入力された音声等を電気的な信号に変換して制御部１０に出力する。レシーバー１９は、通話等の際に制御部１０から入力される電気的な音信号を音に変換して出力することにより、受話音をユーザーに提供する。前面側撮像部６及び裏面側撮像部８は、静止画像及び動画像を撮像する。
【００３６】
＜表示部に表示されるスタート画面について＞
ここでは、電子機器１の起動直後もしくは操作キー４ｂが操作された時に表示部２６に表示されるスタート画面について説明する。スタート画面には、電子機器１にアプリケーションを実行させるための画像が示される。本実施の形態においては、このような画像は「タイル」と呼ばれることもある。また、以後、「画像」と言えば、特に断らない限り、「電子機器１にアプリケーションを実行させるための画像」を意味する。表示部２６において表示されている画像に対して、アプリケーションの実行を指示する操作が行われることで、当該操作が行われた画像に対応したアプリケーションが電子機器１で実行される。後で詳しく説明するが、画像には当該画像が対応するアプリケーションを示す図形等が含まれている。ユーザーは、画像に含まれる図形等の情報に基づいて、それぞれの画像に対応するアプリケーションが何であるかを把握することができる。
【００３７】
図４は、表示部２６に表示されたスタート画面の一例を示す図である。図４に例示されるスタート画面には、画像３０，３１，３２，３３，３４が表示されている。画像３０は、電話アプリケーションに対応する画像である。例えば、ユーザーが画像３０に対してアプリケーションの実行を指示する操作を行うことで、電子機器１では電話アプリケーションが実行される。画像３１は、前面側撮像部６もしくは裏面側撮像部８によって撮像を行うためのカメラアプリケーションに対応する画像である。画像３２は、電子機器１の記憶部１３に記憶された画像データを表示部２６に表示させるための表示アプリケーションに対応する画像である。画像３３は、メールアプリケーションに対応する画像である。画像３４は、設定した時刻になったことをユーザーに知らせるためのアラームアプリケーションに対応する画像である。
【００３８】
なお、スタート画面において、配置される画像の数が多い場合には、表示部２６外に画像が配置される状態となる。この場合には、スタート画面をスクロールさせたい方向に向かって、表示部２６に対して操作子によってフリック操作を行うことで、表示部２６外の画像を表示部２６に表示させることができる。フリック操作とは、表示部２６を操作子で払う操作である。詳細には、フリック操作とは、操作子が表示部２６に接触した状態で所定時間以内に所定距離以上移動して表示部２６から離れる操作である。
【００３９】
図５は、表示部２６の表示範囲外に画像が配置されたスタート画面の表示例を示す図である。図５の左側に示されるように、操作子６０でフリック操作を行う前では、表示部２６に、画像３５の一部と、画像３０，３１，３２，３３，３４とが表示されている。表示部２６外には、画像３５の残りの部分と画像３６が配置されている。この表示部２６に対して、図５に示されるように操作子６０によって上方向のフリック操作が行われることで、スタート画面における表示部２６での表示範囲が下方向に移動する。図５の右側に示されるように、操作子６０でフリック操作を行った後の表示部２６は、画像３３，３４，３５，３６と、画像３１，３２の一部が表示されている。また、画像３０は、表示範囲が移動したことで、表示部２６の表示範囲外となる。
【００４０】
また、図４，５に示されるように、スタート画面に表示される各画像の大きさは均一ではない。画像の大きさの違いによる、画像に含まれる情報の違いについて図６を参照しながら説明する。本実施の形態では、３種類の大きさの画像が存在する場合を例に挙げて説明する。スタート画面の画像の大きさは、電子機器１の動作モードが画像の大きさ及び配置位置を変更するモードに設定された場合に変更させることができる。
【００４１】
図６は、メールアプリケーションに対応する画像３３を示す図である。図６には、メールアプリケーションに対応する３種類の大きさの画像（大きさが大きい方から順に画像３３Ｌ，３３Ｍ，３３Ｓとする）が示されている。
【００４２】
画像３３Ｌは、３種類の画像の大きさの中で最も大きい画像である。画像３３Ｌは、例えば、図６に示されるように、縦横比が１：２である横長の長方形の形状をしている。画像３３Ｌには、メールアプリケーションを示す図形３３ａと、文字情報３３ｂとが含まれる。
【００４３】
画像に含まれる図形には、当該画像に対応するアプリケーションを示す図形が選ばれる。図形３３ａは、図６に示されるように、メールアプリケーションを象徴する便箋の図形である。
【００４４】
また、画像に含まれる文字情報は、当該画像に対応するアプリケーションの名称である。図６に示される文字情報３３ｂは、「メール」である。
【００４５】
画像３３Ｍは、３種類の画像の大きさの中で中間的な大きさの画像である。画像３３Ｍは、例えば、図６に示されるように、画像３３Ｌの横方向を半分の大きさにした正方形の形状をしている。画像３３Ｍは、画像３３Ｌと同様に、図形３３ａと文字情報３３ｂとを含んでいる。
【００４６】
画像３３Ｓは、３種類の画像の大きさの中で最も小さい画像である。画像３３Ｓは、例えば、図６に示されるように、画像３３Ｍの縦および横の大きさを半分にした、正方形の形状をしている。画像３３Ｓは、文字情報３３ｂを含まず、図形３３ａを含んでいる。
【００４７】
画像３３Ｌ，３３Ｍは、図形３３ａ及び文字情報３３ｂの双方を含んでいる。したがって、画像３３が画像３３Ｌ，３３Ｍの大きさである場合には、ユーザーは画像３３Ｌ，３３Ｍに含まれる図形３３ａ及び文字情報３３ｂに基づいて、画像３３Ｌ，３３Ｍがメールアプリケーションに対応していることを容易に把握することができる。なお、本実施の形態では、図形と文字情報とを含む画像の大きさを「大きいサイズ５０」と呼ぶ。また、大きいサイズ５０を「第一の大きさ５０」と呼ぶこともある。
【００４８】
一方、画像３３Ｓには、図形３３ａは含まれているが、文字情報３３ｂは含まれていない。本実施の形態では、文字情報が含まれず図形を含む画像の大きさを「小さいサイズ５１」と呼ぶ。また、小さいサイズ５１を「第二の大きさ５１」と呼ぶこともある。画像３３が小さいサイズ５１の画像３３Ｓである場合には、ユーザーは図形３３ａに基づいて画像３３Ｓがメールアプリケーションに対応していることを認識しなければならない。それ故に、ユーザーは当該画像３３Ｓに対応するアプリケーションが何であるかを把握しにくくなる。よって、本実施の形態においては、以下に説明する機能ブロックおよび処理によって、文字情報３３ｂを表示部２６に表示させる。
【００４９】
なお、アプリケーションに対応する画像には、当該アプリケーションの種類によって、当該アプリケーションを示す図形が含まれない場合がある。例えば、表示アプリケーションに対応する画像が、当該表示アプリケーションの実行中に表示可能な記憶部１３内の静止画像となって、当該表示アプリケーションに対応する画像に、当該表示アプリケーションを示す図形が含まれないことがある。
【００５０】
＜制御部の機能ブロックについて＞
制御部１０では、メインプログラムＰｇ１が実行されることによって、複数の機能ブロックが形成される。図７は、制御部１０に形成される複数の機能ブロックの一部を示す図である。図７に示されるように、制御部１０は、計測部２２と、特定部２３と、処理実行部２４とを備えている。
【００５１】
計測部２２は、操作子６０が画像に接触している接触時間を計測する。以後、操作子６０が画像に接触している接触時間を単に「接触時間」と呼ぶ。計測部２２は、タッチパネル１７での検出結果に基づいて、操作子６０が画像に対して接触していると判定すると、接触時間の計測を開始する。計測部２２は、操作子６０が画像に接触しているという判定結果から接触していないという判定結果に変化した（つまり、操作子６０が画像に接触した後に当該画像から離れた）場合には、接触時間の計測を終了し、当該接触時間を処理実行部２４に送出する。なお、計測部２２は、接触時間の計測が終了していない場合であっても、処理実行部２４からの要求により、操作子６０が画像に接触してから現在（つまり、処理実行部２４からの要求があった時）までの接触時間を、処理実行部２４に送出することができる。
【００５２】
特定部２３は、表示部２６に表示されている画像の大きさを特定する。本実施の形態では、特定部２３は、画像の大きさが３種類の大きさのうちのいずれであるかを特定する。特定部２３で特定された画像の大きさは、処理実行部２４に送出される。
【００５３】
処理実行部２４は、計測部２２で計測された接触時間と、特定部２３で特定された画像の大きさとに基づいて、処理を実行する。処理実行部２４が行う処理については、後述する制御部１０での処理の流れのなかで説明する。
【００５４】
＜制御部での処理の流れについて＞
ここでは、本実施の形態における処理の流れについて、図８を参照しながら説明する。図８は、本実施の形態における処理の流れを示す図である。
【００５５】
まず、計測部２２が、タッチパネル１７での検出結果に基づいて、操作子６０が画像に接触しているか否かの判定を行う（ステップＳ１）。計測部２２によって、操作子６０が画像に接触していないと判定された場合には（ステップＳ１でＮＯ）、操作子６０と画像とが接触していると判定されるまで、ステップＳ１の処理を繰り返し行う。なお、本実施の形態では、操作子６０が接触した画像を「第一の画像」と呼ぶことがある。
【００５６】
計測部２２によって操作子６０が画像に接触していると判定された場合には（ステップＳ１でＹＥＳ）、計測部２２は接触時間の計測を開始する（ステップＳ２）。次に、処理実行部２４は、特定部２３で特定された画像の大きさに基づいて、操作子６０が接触している第一の画像の大きさが小さいサイズ５１であるか判定する（ステップＳ３）。以下では、第一の画像の大きさが小さいサイズ５１である場合の処理について説明した後に、第一の画像の大きさが大きいサイズ５０である場合の処理について説明する。
【００５７】
＜第一の画像が小さいサイズの場合の処理＞
第一の画像の大きさが、小さいサイズ５１である場合には（ステップＳ３がＹＥＳ）、処理実行部２４は、計測部２２での判定結果に基づいて操作子６０が第一の画像に接触しているか否かを確認する（ステップＳ４ａ）。このステップＳ４ａは、操作子６０が第一の画像に接触している状態が続いているか否かを確認する処理である。操作子６０が第一の画像に接触していない場合には（ステップＳ４ａでＮＯ）、処理実行部２４は、第一の画像に対応するアプリケーションを実行する（ステップＳ５ａ）。つまり、処理実行部２４は、小さいサイズ５１の第一の画像に対して操作子が接触して離れると、第一の画像に対応するアプリケーションを実行する。ステップＳ５ａにおける、小さいサイズ５１の第一の画像に対応するアプリケーションを実行する処理を第一処理と呼ぶ。
【００５８】
反対に、操作子６０が第一の画像に接触している場合には（ステップＳ４ａでＹＥＳ）、処理実行部２４は、接触時間が第一の閾値より大きいかを確認する（ステップＳ６）。接触時間が第一の閾値より小さいときには（ステップＳ６でＮｏ）、処理実行部２４は、ステップＳ４ａに戻る。接触時間が第一の閾値より大きいときには（ステップＳ６でＹＥＳ）、処理実行部２４は、表示部２６に文字情報を表示する（ステップＳ７）。ステップＳ７における、表示部２６に文字情報を表示する処理を第二処理と呼ぶ。第二処理において、表示部２６に表示される文字情報は、第一の画像が大きいサイズ５０であるときに、当該第一の画像に含まれる文字情報である。ステップＳ７によって、文字情報を含まない小さいサイズ５１の第一の画像が表示されている場合に、大きいサイズ５０の第一の画像が含む文字情報を表示部２６に表示させることで、第一の画像に対応するアプリケーションが何であるかをユーザーに把握させることができる。第二処理における文字情報の表示の態様については後で説明する。
【００５９】
文字情報が表示されると、処理実行部２４は、接触時間が第二の閾値（＞第一の閾値）より大きいかを確認する（ステップＳ８ａ）。接触時間が第二の閾値より大きい場合には（ステップＳ８ａでＹＥＳ）、処理実行部２４は、電子機器１の動作モードを、第一の画像の大きさ及び位置の変更が可能なモードに設定する（ステップＳ９ａ）。小さいサイズ５１である第一の画像を操作することによって設定される、当該第一の画像の大きさ及び位置の変更が可能なモードを第一変更モードと呼ぶこともある。第一変更モードの詳細については後で詳しく説明する。また、ステップＳ９ａにおける、動作モードを変更する処理を第三処理と呼ぶ。接触時間が第二の閾値より小さい場合には（ステップＳ８ａでＮＯ）、ステップＳ４ａに戻る。
【００６０】
なお、図８では簡略化のため省略しているが、ステップＳ７で表示された文字情報は、第一の画像に対応するアプリケーションの実行時（ステップＳ５ａ）もしくは電子機器１の動作モードを第一変更モードに設定した時（ステップＳ９ａ）に非表示とされる。ステップＳ７で表示された文字情報は、ステップＳ５ａもしくはステップＳ９ａの処理を実行するまで、継続して表示部２６に表示される。
【００６１】
図９は、上述した第一の画像の大きさが小さいサイズ５１であるときの処理と、接触時間との関係を説明するための図である。図９の横軸は、計測部２２で計測される接触時間である。図９に示されるように、操作子６０が第一の画像に接触してから第二の閾値までの間７０では、第一の画像から操作子６０を離すことで、第一の画像に対応するアプリケーションを実行する第一処理が行われる。
【００６２】
また、第二の閾値は第一の閾値よりも大きく、第一の閾値から第二の閾値までの間７１では、表示部２６に文字情報を表示させる第二処理を行われる。第一の閾値から第二の閾値までの間７１では、ユーザーは、表示された文字情報を確認して、第一の画像に対応するアプリケーションが何であるかを把握したうえで、操作子を表示部２６から離すことによって、電子機器１に第一の画像に対応するアプリケーションを実行させることができる。また、ユーザーが第一の画像に対応するアプリケーションを電子機器１に実行させたい場合であって、文字情報を確認する必要がないときには、接触時間が第一の閾値より大きくなる前に、操作子６０を第一の画像から離すことで、表示部２６に文字情報を表示させることなく電子機器１にアプリケーションを実行させることができる。一方、接触時間が第二の閾値より大きくなった場合７２には、電子機器１の動作モードが、第一の画像の大きさ及び位置の変更が可能な変更モードに設定される。
【００６３】
＜第一の画像が大きいサイズの場合の処理＞
次に、第一の画像の大きさが大きいサイズ５０である場合の制御部１０での処理について説明する。図８のステップＳ３に戻って、第一の画像の大きさが、小さいサイズ５１でない場合には（ステップＳ３でＮＯ）、処理実行部２４は、計測部２２での判定結果に基づいて、操作子６０が第一の画像に接触しているか否かを確認する（ステップＳ４ｂ）。操作子６０が第一の画像に接触していない場合には（ステップＳ４ｂでＮＯ）、処理実行部２４は、第一の画像に対応するアプリケーションを実行する（ステップＳ５ｂ）。つまり、処理実行部２４は、最も大きいサイズの第一の画像あるいは中程度のサイズの第一の画像に操作子が接触して離れると、第一の画像に対応するアプリケーションを実行する。ステップＳ５ｂでの、大きいサイズ５０の第一の画像に対応するアプリケーションを実行する処理を第四処理と呼ぶ。
【００６４】
一方で、操作子６０が第一の画像に接触している場合には（ステップＳ４ｂでＹＥＳ）、処理実行部２４は、接触時間が第三の閾値より大きいかを確認する（ステップＳ８ｂ）。接触時間が第三の閾値より大きい場合には（ステップＳ８ｂでＹＥＳ）、処理実行部２４は、電子機器１の動作モードを、第一の画像の大きさ及び位置の変更が可能なモードに設定する（ステップＳ９ｂ）。大きいサイズ５０である第一の画像に対する操作によって設定される、当該大きいサイズ５０の第一の画像の大きさ及び位置の変更が可能なモードを第二変更モードと呼ぶことがある。第二変更モードについては、前述した第一変更モードと共に後で詳しく説明する。また、ステップＳ９ｂでの、電子機器１の動作モードを第二変更モードへ変更する処理を第五処理と呼ぶ。接触時間が第三の閾値より小さい場合には（ステップＳ８ｂでＮＯ）、ステップＳ４ｂに戻る。
【００６５】
図１０は、処理に必要となる時間を説明するための図である。図１０の横軸は、計測部２２で計測される接触時間である。図１０には、第一の画像の大きさが小さいサイズ５１であるときの処理（図１０上側）と、第一の画像の大きさが大きいサイズ５０であるときの処理（図１０下側）とが示されている。第一の画像の大きさが小さいサイズ５１であるときには、操作子６０が第一の画像に接触してから第二の閾値までの間７０に、操作子６０が当該第一の画像から離れることで、当該第一の画像に対応するアプリケーションが実行される。第一の画像の大きさが大きいサイズ５０であるときには、操作子６０が第一の画像に接触してから第三の閾値までの間７３に、操作子６０が当該第一の画像から離れることで、当該第一の画像に対応するアプリケーションが実行される。
【００６６】
ここで、図１０に示されるように、第三の閾値は、第二の閾値より小さいことが望ましい。第一の画像の大きさが小さいサイズ５１である場合には、ユーザーは、第一の閾値から第二の閾値までの間７１に、表示されている文字情報を確認した後に、第一の画像に対してアプリケーションを実行させるための操作を行う可能性がある。したがって、電子機器１の動作モードが第一変更モードに設定されるタイミングである第二の閾値としては、ユーザーが文字情報を確認する時間を踏まえて比較的長い時間である方が好ましい。
【００６７】
一方、第一の画像の大きさが大きいサイズ５０である場合には、文字情報は第一の画像に含まれている。つまり、ユーザーは、第一の画像に対して操作を始める前に、第一の画像に含まれる文字情報を確認することができる。したがって、ユーザーは第一の画像に対して操作を始めた後に文字情報を確認することはなく、第三の閾値には、ユーザーが文字情報を確認する時間を考慮する必要はない。
【００６８】
以上のことより、例えば、第二の閾値を５秒、第三の閾値を３秒というように、第三の閾値を第二の閾値より小さくする方が、電子機器１の動作モードを第二変更モードに設定して、第一の画像の大きさ又は位置を変更させたいユーザーにとって無駄な時間を省くことができ、電子機器１の操作性が向上する。
【００６９】
また、第一の閾値は、図１０に示されるように、第三の閾値よりも小さいことが望ましい。第一の閾値が第三の閾値よりも小さい場合には、第一の閾値と第二の閾値との間の時間を確保することができる。つまり、文字情報が表示される時間を確保することができる。これにより、ユーザーにとっては、文字情報の理解が容易となる。
【００７０】
続いて、文字情報を表示する第二処理での表示例、画像の大きさ及び位置を変更する第一及び第二変更モードについて順に説明する。
【００７１】
＜第二処理における文字情報の表示例について＞
図１１は、第二処理における表示部２６での文字情報の表示例を示す図である。図１１は、操作子６０が画像３３（画像３３Ｓ）に接触した状態で、接触時間が第一の閾値より大きくなったときの表示部２６による表示例を示している。
【００７２】
本実施の形態では、文字情報はポップアップ表示される。具体的には、図１１に示されるように、画像３３（画像３３Ｓ）に対する操作子６０の接触時間が第一の閾値を超えると、表示部２６には、画像３３に接触する接触画像５２が表示される。接触画像５２は、吹き出し形の図形５２ａと、当該図形５２ａ内に配置された文字情報３３ｂとを含んでいる。なお、接触画像５２は、画像３３に接触していなくてもよい。
【００７３】
このように、文字情報３３ｂを含まない画像３３（画像３３Ｓ）が表示されている場合に文字情報３３ｂを表示させることで、画像３３（画像３３Ｓ）に対応するアプリケーションがメールアプリケーションであることをユーザーに把握させることができる。
【００７４】
また、図１１の例では、文字情報３３ｂは、表示部２６において、操作子６０が接触している画像３３（画像３３Ｓ）が表示されている領域以外の領域に表示される。したがって、文字情報３３ｂが、操作子６０によって隠れることを抑制できる。よって、ユーザーにとって文字情報３３ｂを見やすくすることができる。
【００７５】
＜画像の大きさおよび位置の変更（第一変更モード／第二変更モード）について＞
図１２は、スタート画面が表示されている場合において、操作子６０（図示なし）が画像３３Ｓに所定時間以上接触することによって、電子機器１の動作モードが、第一の画像（画像３３Ｓ）の大きさ及び位置の変更が可能なモードとなったときの表示部２６の表示例である。図１２に示されるように、本実施の形態では、画像の大きさ及び位置の変更が可能なモードでは、第一の画像（画像３３Ｓ）に重ねて、サイズ変更用のキー５３（サイズ変更用のキー５３Ｓ）及び消去用のキー５４が表示される。ユーザーは、第一の画像（画像３３Ｓ）、サイズ変更用のキー５３（５３Ｓ）および消去用のキー５４に対して操作を行うことで、第一の画像の大きさ又は位置を変更させることができる。ユーザーが、第一の画像（画像３３Ｓ）の大きさおよび位置の変更させた後、操作キー４ｂを操作すると、第一の画像（画像３３Ｓ）の大きさ及び位置の変更が可能なモードが解除する。
【００７６】
サイズ変更用のキー５３（５３Ｓ）は、第一の画像（画像３３Ｓ）の大きさを変更させるためのキーである。操作子６０をサイズ変更用のキー５３に接触させて当該キー５３から離すと、つまり、操作子によってサイズ変更用のキー５３がタップ操作されると、図１３に示されるように、最も大きいサイズの第一の画像（画像３３Ｌ）が表示部２６に表示される。図１３に示される第一の画像（画像３３Ｌ）にも、サイズ変更用のキー５３Ｌと、消去用のキー５４とが表示される。
【００７７】
サイズ変更用のキー５３Ｓには矢印が含まれている。図１２に示されるサイズ変更用のキー５３Ｓに含まれる矢印は、第一の画像（画像３３Ｓ）に対して外向きであることで、第一の画像（画像３３Ｓ）のサイズを大きくするためのキーであることを示しているとともに、矢印の角度が第一の画像（画像３３Ｓ）に対して斜め下方向であることで、第一の画像（画像３３Ｓ）が縦方向及び横方向に拡大することを示している。
【００７８】
一方、図１３の第一の画像（画像３３Ｌ）に重ねて表示されるサイズ変更用のキー５３Ｌには、第一の画像（画像３３Ｌ）に対して内向きの矢印が示されている。この内向きの矢印は、サイズ変更用のキー５３Ｌが、第一の画像（画像３３Ｌ）を小さくするためのキーであることを示している。さらに、サイズ変更用のキー５３Ｌに含まれる矢印の角度が、第一の画像（画像３３Ｌ）の長手方向であることより、第一の画像（画像３３Ｌ）が長手方向に小さくなることを示している。
【００７９】
図１４は、図１３に示されるサイズ変更用のキー５３Ｌに操作子６０を接触させて当該サイズ変更用のキー５３Ｌから離した後の表示部２６の表示例を示している。図１４に示される表示部２６の表示例には、中間的なサイズの第一の画像（画像３３Ｍ）が表示されている。また、図１４においても、第一の画像（画像３３Ｍ）に重ねてサイズ変更用のキー５３Ｍと、消去用のキー５４とが表示されている。サイズ変更用のキー５３Ｍには、第一の画像（画像３３Ｍ）に対して斜め方向の内向きの矢印が含まれており、当該サイズ変更用のキー５３Ｍを操作することで、第一の画像（画像３３Ｍ）の大きさが縦横比を維持したまま小さくなることを示している。サイズ変更用のキー５３Ｍを操作すると、図１２に示される表示に戻る。
【００８０】
なお、スタート画面が表示されているときに、操作子６０によって画像３３Ｌが操作されることによって、電子機器１の動作モードが画像３３Ｌの大きさ及び位置の変更が可能なモードとなった場合には、図１３に示される表示が表示部２６に表示される。スタート画面が表示されているときに、操作子６０によって画像３３Ｍが操作されることによって、電子機器１の動作モードが画像３３Ｍの大きさ及び位置の変更が可能なモードとなった場合には、図１４に示される表示が表示部２６に表示される。
【００８１】
消去用のキー５４は、第一の画像をスタート画面から消去させるためのキーである。操作子６０を、消去用のキー５４に接触させて当該キー５４から離すと、つまり、操作子によって消去用のキー５４がタップ操作されると、表示部２６から第一の画像が消える。
【００８２】
次に、第一の画像の位置の変更について説明する。第一の画像の位置の変更は、操作子６０を第一の画像に接触させた状態で第一の画像を移動させたい領域に移動させる操作で行われる。図１５は、第一の画像の位置の変更を説明するための図である。図１５には、画像３３（画像３３Ｓ）の位置を変更させる例が示されている。図１５に示されるように、操作子６０を画像３３（画像３３Ｓ）に接触させた状態で右側に移動させると、画像３３Ｓが右側に移動する。
【００８３】
なお、図１６に示されるように、操作子６０を第一の画像（画像３３Ｓ）に接触させた状態で移動させる操作によって、当該第一の画像（画像３３Ｓ）の大きさを変更させてもよい。この場合には、操作子６０による操作における移動方向及び移動量に応じて、第一の画像（画像３３Ｓ）の大きさを変更させればよい。例えば、操作子６０の移動方向が第一の画像に対して外向きである場合には、第一の画像の大きさを大きくし、操作子６０の移動方向が第一の画像に対して内向きである場合には、第一の画像の大きさを小さくする。また例えば、操作子６０の移動量が所定の閾値以下の場合には、第一の画像の大きさを一段階大きく又は小さくし、操作子６０の移動量が当該閾値よりも大きい場合には、第一の画像の大きさを２段階大きく又は小さくする。
【００８４】
図１６に示される例では、操作子６０は、第一の画像（画像３３Ｓ）に接触した状態で、第一の画像（画像３３Ｓ）に対して外向きに短い距離を移動している。この操作により、第一の画像は、操作前の大きさ（画像３３Ｓ）より一段階大きい中間的な大きさの画像（画像３３Ｍ）となって表示部２６に表示される。なお、この場合には、第一の画像に対する操作によって、第一の画像の大きさが変更できるため、上述したサイズ変更用のキー５３は不要となる。また、図１６で示される第一の画像に対する操作は、既述した第一の画像の位置を変更させるための操作と同様の操作である。したがって、第一の画像に対する操作によって第一の画像の大きさを変更させる場合には、第一の画像の位置の変更は行わない。
【００８５】
また、例えば、操作子６０を第一の画像（画像３３Ｓ）の角に接触させた状態で移動させることによって、当該第一の画像（画像３３Ｓ）の大きさを変更させてもよい。この場合には、第一の画像の角に接触している操作子６０が移動すると、操作子６０の移動先に、第一の画像（画像３３Ｓ）の角が位置するように当該第一の画像の大きさが変化する。操作子６０が移動した後に第一の画像の角から離れると、予め定められた画像の大きさ（例えば、本実施の形態においては、画像３３Ｓ，３３Ｍ，３３Ｌの３種類）の中で、操作子が当該第一の画像の角から離れる直前の大きさに最も近い大きさが選択される。そして、当該第一の画像についての最終的な大きさが、選択された大きさに設定される。
【００８６】
＜比較対象の電子機器について＞
さて、ここで本実施形態の電子機器１と比較される電子機器（以後、「比較対象機器」と呼ぶ）について説明する。図１７は、図８に示される電子機器１の処理の流れに対応する、比較対象機器の処理の流れを示す図である。
【００８７】
まず計測部が、タッチパネル１７での検出結果に基づいて、操作子６０が画像に接触しているか否かの判定を行う（ステップＳ１ｃ）。計測部によって、操作子６０が画像に接触していないと判定された場合には（ステップＳ１ｃでＮＯ）、操作子６０と画像とが接触していると判定するまで、ステップＳ１ｃの処理を繰り返し行う。計測部によって操作子６０が画像に接触していると判定された場合には（ステップＳｃ１でＹＥＳ）、計測部は接触時間の計測を開始する（ステップＳ２ｃ）。
【００８８】
ステップＳ２ｃにおいて、計測部２２によって接触時間の計測が開始されると、処理実行部２４は、操作子６０が画像に接触しているかを確認する（ステップＳ４ｃ）。操作子６０が画像に接触していない場合には（ステップＳ４ｃでＮＯ）、当該画像に対応するアプリケーションを実行する（ステップＳ５ｃ）。つまり、画像に対してタップ操作が実行された場合には、当該画像に対応するアプリケーションが実行される。
【００８９】
一方、操作子６０が画像に接触している場合には（ステップＳ４ｃでＹＥＳ）、処理実行部２４は、接触時間が所定の閾値より大きくなったかを確認する（ステップＳ８ｃ）。接触時間が所定の閾値より小さい場合には（ステップＳ４ｃでＮＯ）、ステップＳ４ｃに戻る。接触時間が所定の閾値より大きい場合には（ステップＳ４ｃでＹＥＳ）、処理実行部２４は、比較対象機器の動作モードを、画像の大きさ及び位置の変更が可能なモードに設定する（ステップＳ９ｃ）。つまり、画像に対してある程度時間タッチ操作が実行されると、比較対象機器の動作モードが、画像の大きさ及び位置の変更が可能なモードに設定される。
【００９０】
このように、比較対象機器では、第一の画像が小さいサイズ５１であって文字情報を含まない場合でも、電子機器１において文字情報を表示する第二処理に相当する処理が行われない。したがって、ユーザーが第一の画像に含まれる図形だけでは当該第一の画像に対応するアプリケーションを把握することができない場合には、例えば、第一の画像の大きさを、第一の画像に図形と文字情報とが含まれる大きいサイズ５０に変更して、文字情報を確認しなければならない。
【００９１】
一方、本実施の形態の電子機器１では、第一の画像が小さいサイズ５１である場合には、第二処理によって表示部２６に文字情報が表示される。したがって、ユーザーは、表示部２６に表示される文字情報に基づいて、第一の画像に対応するアプリケーションが何であるかを把握することができる。つまり、本実施の形態の電子機器１では、ユーザーが、小さいサイズ５１の第一の画像に含まれる図形だけでは当該第一の画像に対応するアプリケーションが何であるか把握できない場合であっても、第一の画像の大きさを変更させることなく文字情報を確認することができる。その結果、電子機器１の操作性が向上する。
【００９２】
また、本実施形態の電子機器１では、小さいサイズ５１の画像に操作子が接触している場合に文字情報が表示されることから、当該文字情報を見たユーザーは、当該操作子を当該画像から離すことによって、当該画像に対応するアプリケーションを電子機器１に実行させることができる。よって、電子機器１の操作性がさらに向上する。
【００９３】
また、本実施の形態の電子機器１では、操作子６０の第一の画像に対する接触時間が第一の閾値以下の場合に当該操作子６０が当該第一の画像から離れると、当該第一の画像に対応するアプリケーションが実行される。したがって、ユーザーは、小さいサイズ５１の画像に対応するアプリケーションが何であるかを把握している場合には、接触時間が第一の閾値より大きくなる前に当該画像から操作子６０を離すことで、文字情報を表示させることなく当該画像に対応するアプリケーションを電子機器１に実行させることができる。つまり、ユーザーは、小さいサイズ５１の画像に対応するアプリケーションが何であるかを把握している場合には、当該画像に対応するアプリケーションを電子機器１にすぐに実行させることができる。その結果、電子機器１の操作性が向上する。
【００９４】
また、本実施形態に係る電子機器１では、小さいサイズ５１の画像に対する操作子の接触時間が短い場合には文字情報が表示され、当該接触時間が長い場合には電子機器１の動作モードが第一変更モードに設定されることから、ユーザーは画像に操作子を接触させているだけで、電子機器１に文字情報を表示させた後に電子機器１に対して動作モードを第一変更モードに設定させることができる。よって、電子機器１の操作性がさらに向上する。
【００９５】
＜文字情報の表示方法についての変形例＞
上記の実施形態においては、第二処理において、文字情報が接触画像５２に含まれて表示部２６に表示される態様について説明した。ここでは、第二処理において表示される文字情報が、第一の画像に含まれて表示部２６に表示される例について、図１８，１９を参照しながら説明する。
【００９６】
図１８，１９はいずれも、第二処理によって画像３３Ｓに対して文字情報が表示されたときの表示例を示している。なお、図１８，１９では、本来は第一の画像である画像３３（画像３３Ｓ）に操作子６０が接触しているが、第一の画像（画像３３Ｓ）を見やすくするために操作子６０を図から省いている。
【００９７】
図１８に示される第一の画像（画像３３Ｓ）は、図形３３ａは含まず文字情報３３ｂを含んでいる。第二処理によって文字情報が表示される前には、図４に示されるように、第一の画像（画像３３Ｓ）は、文字情報３３ｂを含まずに図形３３ａを含んでいる。つまり、図１８に示される例では、第二処理（より詳細には、図８のステップＳ７）において、文字情報３３ｂが第一の画像（画像３３Ｓ）に含まれると共に、第一の画像（画像３３Ｓ）に含まれていた図形３３ａが第一の画像（画像３３Ｓ）に含まれなくなる。図形３３ａが第一の画像（画像３３Ｓ）に含まれなくなることにより、文字情報３３ｂを見やすくすることができる。
【００９８】
図１９に示される第一の画像（画像３３Ｓ）では、図形３３ａと文字情報３３ｂとを含んでいる。ここで、文字情報３３ｂは、図形３３ａの上に位置している。したがって、文字情報３３ｂは、図形３３ａに隠れて表示されることはなく、見やすくすることができる。
【００９９】
＜文字情報についての変形例＞
上記の態様においては、大きいサイズ５０の画像に含まれる文字情報が、当該画像に対応するアプリケーションの名称である場合について説明した。ここでは、大きいサイズ５０の画像に含まれる文字情報が、アプリケーションの名称を含まない場合について説明する。本変形例では、大きいサイズ５０の画像には、例えば、当該画像に対応するアプリケーションの名称以外の、当該アプリケーションに関する情報が含められる。
【０１００】
図２０は、電話アプリケーションに対応する画像３０を示す図である。図２０には、電話アプリケーションに対応する３種類の大きさの画像（大きさの大きい方から順に画像３０Ｌ，３０Ｍ，３０Ｓとする）が示されている。
【０１０１】
図２０に示される画像３０Ｌ，３０Ｍに含まれる文字情報３０ｃは、電話アプリケーションの名称（例えば、「電話」という文字情報３０ｂ）の情報ではない。図２０では、文字情報３０ｃを「ａａａ」としているが、文字情報３０ｃは、例えば、電子機器１が使用される通信サービスを提供する会社（電気通信事業者）の名称である。文字情報３０ｃは、アプリケーションの名称ではないものの、アプリケーションに関連する文字情報であるため、ユーザーは当該文字情報３０ｃに基づいて、当該文字情報３０ｃを含む画像に対応するアプリケーションが何であるかを把握することができる。
【０１０２】
図２１，２２は、スタート画面が表示されている場合において、操作子６０が画像３０Ｓに接触した状態で、第二処理が実行されたときの表示部２６における表示例を示している。図２１に示される例では、文字情報３０ｃを含む接触画像５２が表示部２６に表示される。したがって、第一の画像（画像３０）の大きさが小さいサイズ５１であっても、大きいサイズ５０の第一の画像（画像３０）に含まれる文字情報３０ｃと同じ情報に基づいて、当該第一の画像（画像３０）に対応するアプリケーションが何であるかを把握することができる。
【０１０３】
また、図２２に示される例では、文字情報３０ｂを含む接触画像５２が表示部２６に表示される。つまり、本例においては、大きいサイズ５０の第一の画像（画像３０）が含む文字情報３０ｃとは異なる文字情報３０ｂが、第二処理で表示される。しかし、第二処理で表示される文字情報３０ｂは、第一の画像（画像３０）が対応するアプリケーションの名称であるため、ユーザーは、当該文字情報３０ｂに基づいて第一の画像（画像３０）に対応するアプリケーションが何であるかを把握することができる。
【０１０４】
なお、大きいサイズ５０の画像に含める文字情報としては、当該画像に対応するアプリケーションの実行によって実現される機能の一部（以後、アプリケーションの一部の機能」と呼ぶ）によって得られる文字情報が含められても良い。アプリケーションの一部の機能とは、例えば、電話アプリケーションの実行によって実現される機能のうちの着信機能、あるいはメールアプリケーションの実行によって実現される機能のうちのメール受信機能が挙げられる。また、アプリケーションの一部の機能によって得られる情報とは、例えば、電話アプリケーション実行時における不在着信に関する情報、メールアプリケーション実行時における新着メールに関する情報である。
【０１０５】
また、大きいサイズ５０の画像に含める文字情報としては、アプリケーションの一部の機能で使用される文字情報であって良い。当該文字情報としては、例えば、ユーザーのスケジュールを管理するスケジュールアプリケーションの実行時に使用される、現在の日付のスケジュールなどが挙げられる。
【０１０６】
また、大きいサイズ５０の画像には、当該画像に対応するアプリケーションの名称以外の、当該アプリケーションに関する情報と、当該画像に対応するアプリケーションの名称とが含まれても良い。
【０１０７】
図２３には、メールアプリケーションに対応する３種類の大きさの画像（画像３３Ｌ，３３Ｍ，３３Ｓ）が示されている。図２３に示されるように、画像３３Ｌ，３３Ｍは、メールアプリケーションの名称である文字情報３３ｂと、メールアプリケーションの一部の機能の実行時に得られる、新着メールに関する文字情報３３ｃとを含んでいる。文字情報３３ｃは、例えば、新着メールの受信日、新着メールの送信者名、新着メールの件名などの情報を含んでいる。
【０１０８】
図２４は、スタート画面が表示されている場合において、操作子６０が画像３３（画像３３Ｓ）に接触した状態で、第二処理が実行されたときの表示部２６における表示例を示している。図２４では、文字情報３３ｂ，３３ｃを含む接触画像５２が表示されている。したがって、第一の画像の大きさが小さいサイズ５１であっても、大きいサイズ５０の第一の画像に含まれる文字情報３３ｂ，３３ｃと同じ情報を確認することができる。
【０１０９】
なお、大きいサイズ５０である第一の画像に含まれる文字情報の全てを、接触画像５２に含ませる必要はない。例えば、文字情報３０ｂと文字情報３０ｃの一部（例えば、新着メールの送信者名のみ）を接触画像５２に含ませて表示部２６に表示させてもよい。
【０１１０】
＜その他変形例＞
上記の例では、本願発明を携帯電話機に適用する場合を例に挙げて説明したが、本願発明は、タッチパネルと表示部とを有する電子機器であれば、どのような電子機器にも適用することができる。例えば、本願発明は、ＰＣ（Personal computer）、ＰＤＡ（Personal Digital Assistant）、ＴＶ（テレビ受信機）などにも適用することができる。
【０１１１】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１１２】
１  電子機器
１７  タッチパネル
２２  計測部
２３  特定部
２４  処理実行部
２６  表示部
３０，３１，３２，３３，３４，３５，３６  画像
５０  第一の大きさ
５１  第二の大きさ
５２  接触画像
６０  操作子
Ｐｇ２  アプリケーションプログラム
【図１】
2015011398.tif 000003
【図２】
2015011398.tif 000004
【図３】
2015011398.tif 000005
【図４】
2015011398.tif 000006
【図５】
2015011398.tif 000007
【図６】
2015011398.tif 000008
【図７】
2015011398.tif 000009
【図８】
2015011398.tif 000010
【図９】
2015011398.tif 000011
【図１０】
2015011398.tif 000012
【図１１】
2015011398.tif 000013
【図１２】
2015011398.tif 000014
【図１３】
2015011398.tif 000015
【図１４】
2015011398.tif 000016
【図１５】
2015011398.tif 000017
【図１６】
2015011398.tif 000018
【図１７】
2015011398.tif 000019
【図１８】
2015011398.tif 000020
【図１９】
2015011398.tif 000021
【図２０】
2015011398.tif 000022
【図２１】
2015011398.tif 000023
【図２２】
2015011398.tif 000024
【図２３】
2015011398.tif 000025
【図２４】
2015011398.tif 000026